(57)【要約】  車体や蓄電装置の状態に関わらず、できる限り操作性を損ねることなくフィルタ再生を継続することのできるハイブリッド建設機械の制御装置を提供する。  エンジンと、エンジンによって駆動され発電可能な電動発電機と、エンジンと電動発電機の合計トルクで駆動される油圧ポンプと、蓄電装置と、インバータと、エンジンの排気ガス中の粒子状物質を捕集するフィルタと、電動発電機の力行動作または回生動作を制御する指令信号を出力する制御部を備えたハイブリッド建設機械の制御装置において、トルク指令値演算部が演算した電動発電機の通常のトルク指令とフィルタ再生判断部が判断したフィルタの再生の要求信号とを入力して、これらの信号に応じて指令信号を演算する力行動作制限部とを有し、力行動作制限部は、フィルタの再生の要求信号があるときには、電動発電機の力行動作を制限する指令信号を演算する。
2016147269.tif 000002
【特許請求の範囲】
【請求項１】
エンジンと、エンジンによって駆動され発電可能な電動発電機と、前記エンジンと前記電動発電機の合計トルクで駆動される油圧ポンプと、前記油圧ポンプから吐出された圧油で駆動する複数の油圧アクチュエータと、前記電動発電機が発電した電力を蓄積し、前記電動発電機を駆動する電力を供給する蓄電装置と、前記蓄電装置と前記電動発電機との間の電力授受を行うインバータと、前記エンジンの排気ガス中の粒子状物質を捕集するフィルタと、前記電動発電機の力行動作または回生動作を制御するために前記インバータへ指令信号を出力する制御部を備えたハイブリッド建設機械の制御装置において、
前記制御部は、前記フィルタの再生の要求を判断するフィルタ再生判断部と、
前記電動発電機の通常のトルク指令を演算するトルク指令値演算部と、前記トルク指令値演算部が演算した前記電動発電機の通常のトルク指令と前記フィルタ再生判断部が判断した前記フィルタの再生の要求信号とを入力して、これらの信号に応じて前記指令信号を演算する力行動作制限部とを有し、
前記力行動作制限部は、前記フィルタの再生の要求信号があるときには、前記電動発電機の力行動作を制限する指令信号を演算する
ことを特徴とするハイブリッド建設機械の制御装置。
【請求項２】
請求項１に記載のハイブリッド建設機械の制御装置において、
前記フィルタの差圧を検出する差圧センサをさらに備え、
前記フィルタ再生判断部は、前記差圧センサが検出した前記フィルタの差圧信号を入力し、オペレータの操作による手動再生要求なのか、前記フィルタの差圧信号による連続再生要求なのかを判断し、
前記フィルタ再生判断部において、前記フィルタの手動再生の要求信号があると判断したとき、前記力行動作制限部は、前記電動発電機の力行動作を予め定めた所定値以下に制限する指令信号を演算する
ことを特徴とするハイブリッド建設機械の制御装置。
【請求項３】
請求項２に記載のハイブリッド建設機械の制御装置において、
前記油圧ポンプの負荷を演算する油圧負荷演算部と、前記油圧負荷演算部が演算した前記油圧ポンプの負荷を入力して、前記油圧ポンプの負荷に応じて前記電動発電機の力行可能量を演算する力行可能量演算部をさらに備え、
前記フィルタ再生判断部において、前記フィルタの連続再生の要求信号があると判断したときに、前記力行動作制限部は、前記電動発電機の力行動作を前記力行可能量演算部が演算した前記電動発電機の力行可能量よりも小さくする指令信号を演算する
ことを特徴とするハイブリッド建設機械の制御装置。
【請求項４】
請求項３に記載のハイブリッド建設機械の制御装置において、
前記複数の油圧アクチュエータの動作を指示する操作レバー装置と、前記操作レバー装置の操作信号を入力して、オペレータの操作の状態を判断するレバー入力判断部とをさらに備え、
前記フィルタ再生判断部において、前記フィルタの連続再生の要求信号があると判断し、かつ前記レバー入力判断部において、オペレータの操作有り状態であると判断したときに、前記力行動作制限部は、前記電動発電機の力行動作を前記力行可能量演算部が演算した前記電動発電機の力行可能量よりも小さくする指令信号を演算する
ことを特徴とするハイブリッド建設機械の制御装置。
【請求項５】
請求項１に記載のハイブリッド建設機械の制御装置において、
前記複数の油圧アクチュエータの動作を指示する操作レバー装置と、前記操作レバー装置の操作信号を入力して、オペレータの操作の状態を判断するレバー入力判断部とをさらに備え、
前記フィルタの再生の要求信号があると共に、前記レバー入力判断部において、オペレータの操作が無い状態であると判断したときに、前記力行動作制限部は、前記電動発電機の力行動作を予め定めた所定値以下に制限する指令信号を演算する
ことを特徴とするハイブリッド建設機械の制御装置。
【請求項６】
請求項１に記載のハイブリッド建設機械の制御装置において、
前記フィルタの近傍に設けられた電熱ヒータと、前記電熱ヒータへ供給する前記蓄電装置からの電力を制御する第２のインバータと、前記蓄電装置の電圧と温度とを検出するバッテリセンサとを備え、
前記制御部は、前記バッテリセンサが検出した前記蓄電装置の電圧と温度とを入力し、これらに基づいて前記蓄電装置の蓄電残量を演算し、前記蓄電装置に対する充電要求信号と放電要求信号を算出する充放電要求演算部と、前記放電要求信号を入力して前記電熱ヒータへ供給する電力指令信号を演算する電熱ヒータ制御部とを有し、前記充電要求信号は前記トルク指令値演算部に入力し、
前記力行動作制限部は、前記フィルタの再生の要求信号があるときであって、前記充電要求信号があるときには、前記電動発電機の回生動作の指令信号を演算し、前記電熱ヒータ制御部は、前記フィルタの再生の要求信号があるときであって、前記放電要求信号があるときには、前記電熱ヒータへ供給する電力指令信号を演算する
ことを特徴とするハイブリッド建設機械の制御装置。
【発明の詳細な説明】
【技術分野】
【０００１】
本発明は、ハイブリッド建設機械の制御装置に係り、さらに詳しくは、エンジンとエンジンの動力アシストと発電を行う発電電動機を備えたハイブリッド建設機械における、ディーゼル微粒子捕集フィルタの再生時の動力を制御するハイブリッド建設機械の制御装置に関する。
【背景技術】
【０００２】
ディーゼルエンジンに油圧ポンプと電動発電機とを連結し、油圧ポンプによって油圧アクチュエータを駆動すると共に、電動発電機の発電作用によって蓄電装置を充電し、電動発電機の電動作用によってディーゼルエンジンをアシストするハイブリッド建設機械がある。【０００３】
このようなハイブリッド建設機械においては、ディーゼルエンジンの排気ガス中に含まれるＰＭ（ディーゼル微粒子）を捕集するための排気ガス後処理装置としてディーゼル微粒子捕集フィルタ（以下、単に「フィルタ」という）を設けている。フィルタに所定値以上のＰＭが堆積すると、目詰まりを起こすので、フィルタ内の触媒温度を所定値以上に昇温・維持することで堆積したＰＭを燃焼除去する「フィルタ再生」という処理が行われる。【０００４】
フィルタ再生処理を行う際にもエンジン出力を有効に利用することで、エネルギ効率を向上させるために、蓄電装置の蓄電量が閾値より小さいときには、電動発電機によりディーゼルエンジンに加わる負荷を大きくした状態でフィルタ再生するハイブリッド型ショベルがある（例えば、特許文献１参照）。【０００５】
また、電気によるモータ走行と化石燃料によるエンジン走行とを切り換えて走行を行うパラレルハイブリッド自動車において、モータ走行が長い時間行われたことによるエンジン排気通路にある触媒の浄化性能の悪化を防止するために、モータによる走行が長い時間行われた後には、エンジンのみで走行する特別走行モードに切り換えて、速やかに触媒の温度を上昇させるようにして有害物質の排出の増加を防止したハイブリッド自動車がある（例えば、特許文献２参照）。【０００６】
さらに、低温環境下において、加熱装置を用いることなく効率的に蓄電器を暖めることを目的として、蓄電器の温度が予め設定された温度より低いときにエンジンを作動させて暖機運転を行うと共に、電動発電機を作動させて前記蓄電器を充放電させることにより、前記蓄電器を発熱させることを特徴とするハイブリッド式建設機械の暖機方法がある（例えば、特許文献３参照）。
【先行技術文献】
【特許文献】
【０００７】
【特許文献１】特開２０１３−２４１６６号公報
【特許文献２】特開２００１−１１５８６９号公報
【特許文献３】特開２０１０−１２７２７１号公報
【発明の概要】
【発明が解決しようとする課題】
【０００８】
一般に、ハイブリッド建設機械における「フィルタ再生」は、オペレータに対して特別な操作を要求せず建設機械の動作中に自動的に実行される「連続再生」と、何らかの理由でＰＭ堆積量が増え続けてしまった場合に実行される「手動再生」の２種類の処理がある。「手動再生」は、例えば、オペレータに対して「ハイブリッド建設機械の操作を停止し、ゲートロックレバーを上げ、フィルタ再生スイッチを押す」という操作を要求する。このため、「手動再生」が実施されている期間、ハイブリッド建設機械はアイドル状態に保たれたままとなる。【０００９】
上述した特許文献１に記載の技術は、「手動再生」を前提としたものであって、「フィルタ再生」の態様としては、蓄電装置の蓄電量に余裕がある場合に、電動発電機で発電を行って（回生動作）、エンジン負荷を増加させることにより排気ガスを高温に維持する例と、蓄電装置の蓄電量が所定値以上ある場合に、電動発電機で発電を行う負荷を減らしながら、油圧ポンプによってエンジンにかける負荷を大きくする例とが示されている。一方、フィルタ再生中における電動発電機の力行動作の制御や「連続再生」については、言及されていない。【００１０】
このため、「連続再生」時における電動発電機のアシスト制御が不明となり、油圧ポンプに十分な動力が供給できない場合には、車体の動作が緩慢になりオペレータに違和感を与える虞がある。【００１１】
また、例えば、特許文献３に記載の蓄電装置の暖機と「フィルタ再生」とを同時に行う必要が生じた場合には、以下のような問題が生起する。  
蓄電装置の暖機は電動発電機を作動させて充放電を行う。蓄電装置の充電のために電動発電機を回生させると蓄電量が増加するので、所定値まで充電できるが、蓄電装置の放電のために電動発電機を力行させるとエンジンの負荷が減るので、排気ガスの高温を維持できなくなる。また、蓄電装置の充電量が所定値以上のときには、電動発電機の回生が困難になる。これらのことにより、蓄電装置の暖機中には「フィルタ再生」を中断しなければならない可能性が生じる。【００１２】
特許文献２に記載の技術は、このようなハイブリッド車における「フィルタ再生」の問題に対して、エンジンの動力と電動発電機の動力を適切に配分制御する方法を示したものである。しかしながら、この方法は、エンジンと電動発電機のそれぞれで動力を供給可能なハイブリッド方式で有効な方法であり、エンジンに機械的に接続された電動発電機を備え,電動発電機のみでの動力供給が困難なハイブリッド方式の建設機械では、エンジンを停止した状態での動作が困難であるため採用できない。【００１３】
また、何らかの工夫により特許文献２の方式を建設機械に適用できたとしても、通常走行モードではエンジンもしくは電動発電機のどちらか片方からのみ、特別走行モードではエンジンからのみ、動力が供給されることになるため、油圧ポンプに十分な動力が供給できない可能性がある。この結果、車体の動作が緩慢になりオペレータに違和感を与える虞がある。【００１４】
本発明は、上述の事柄に基づいてなされたもので、その目的は、車体や蓄電装置の状態に関わらず、できる限り操作性を損ねることなくフィルタ再生を継続することのできるハイブリッド建設機械の制御装置を提供するものである。
【課題を解決するための手段】
【００１５】
上記の目的を達成するために、第１の発明は、エンジンと、エンジンによって駆動され発電可能な電動発電機と、前記エンジンと前記電動発電機の合計トルクで駆動される油圧ポンプと、前記油圧ポンプから吐出された圧油で駆動する複数の油圧アクチュエータと、前記電動発電機が発電した電力を蓄積し、前記電動発電機を駆動する電力を供給する蓄電装置と、前記蓄電装置と前記電動発電機との間の電力授受を行うインバータと、前記エンジンの排気ガス中の粒子状物質を捕集するフィルタと、前記電動発電機の力行動作または回生動作を制御するために前記インバータへ指令信号を出力する制御部を備えたハイブリッド建設機械の制御装置において、前記制御部は、前記フィルタの再生の要求を判断するフィルタ再生判断部と、前記電動発電機の通常のトルク指令を演算するトルク指令値演算部と、前記トルク指令値演算部が演算した前記電動発電機の通常のトルク指令と前記フィルタ再生判断部が判断した前記フィルタの再生の要求信号とを入力して、これらの信号に応じて前記指令信号を演算する力行動作制限部とを有し、前記力行動作制限部は、前記フィルタの再生の要求信号があるときには、前記電動発電機の力行動作を制限する指令信号を演算することを特徴とする。
【発明の効果】
【００１６】
本発明によれば、フィルタ再生指令が入力された際に、電動発電機の力行動作を制限するので、エンジンが負担する負荷を維持もしくは増加させることができ、エンジンの排気ガス温度を上昇／維持しやすくできる。また、エンジンだけでは十分な動力を供給できない状況においては、電動発電機による動力アシストを利用して油圧ポンプに十分な動力を供給できる。このことにより、通常時の操作性をフィルタ再生中であっても維持することができる。
【図面の簡単な説明】
【００１７】
【図１】本発明のハイブリッド建設機械の制御装置の第１の実施の形態を備えたハイブリッドショベルを示す斜視図である。
【図２】本発明のハイブリッド建設機械の制御装置の第１の実施の形態を備えたアクチュエータ駆動システムの概略図である。
【図３】本発明のハイブリッド建設機械の制御装置の第１の実施の形態における電動発電機の制御システムを示すブロック図である。
【図４】本発明のハイブリッド建設機械の制御装置の第１の実施の形態における力行可能量演算部の演算方法の一例を説明するための回転数―トルクマップ図である。
【図５】本発明のハイブリッド建設機械の制御装置の第１の実施の形態における力行可能量演算部の演算方法の他の例を説明するための回転数―トルクマップ図である。
【図６】本発明のハイブリッド建設機械の制御装置の第１の実施の形態におけるフィルタ再生中の電動発電機の制御処理内容を示すフローチャート図である。
【図７】本発明のハイブリッド建設機械の制御装置の第２の実施の形態を備えたアクチュエータ駆動システムの概略図である。
【図８】本発明のハイブリッド建設機械の制御装置の第２の実施の形態における電動発電機の制御システムを示すブロック図である。
【発明を実施するための形態】
【００１８】
以下、本発明のハイブリッド建設機械の制御装置の実施の形態を図面を用いて説明する。
【実施例１】
【００１９】
図１は本発明のハイブリッド建設機械の制御装置の第１の実施の形態を備えたハイブリッドショベルを示す斜視図、図２は本発明のハイブリッド建設機械の制御装置の第１の実施の形態を備えたアクチュエータ駆動システムの概略図である。  
図１において、ハイブリッドショベル１は、垂直方向にそれぞれ回動するブーム１ａ、アーム１ｂ及びバケット１ｃを有する多関節型のフロント装置１Ａと、上部旋回体１ｄ及び下部走行体１ｅを有する車体１Ｂとを備えている。フロント装置１Ａのブーム１ａの基端は、上部旋回体１ｄの前部に垂直方向に回動可能に支持されている。ブーム１ａ、アーム１ｂ、バケット１ｃ、上部旋回体１ｄ及び下部走行体１ｅは、ブームシリンダ３ａ、アームシリンダ３ｂ、バケットシリンダ３ｃ、旋回用電動発電機１６（図２参照）及び左右の走行モータ３ｅ、３ｆによりそれぞれ駆動される。なお、ブーム１ａ、アーム１ｂ、バケット１ｃ、及び下部走行体１ｅを駆動する油圧アクチュエータ３ａ〜３ｃ，３ｅ，３ｆを油圧作業部という。【００２０】
ブーム１ａ、アーム１ｂ、バケット１ｃ、上部旋回体１ｄの動作は操作レバー装置４ａ、４ｂ（図２参照）の油圧操作信号（制御パイロット圧力）により指示され、下部走行体１ｅの動作は図示しない走行用の操作ペダル装置の油圧操作信号（制御パイロット圧力）により指示される。【００２１】
図２に示す本実施の形態におけるアクチュエータ駆動システムは、油圧駆動部と電動駆動部とを備えている。油圧駆動部としては、操作レバー装置４ａ，４ｂと、図示しない走行用の操作ペダル装置と、方向切換弁５と、可変容量型の油圧ポンプ６と、エンジン７と、作動油タンク８と、シャトル弁ブロック９とを備えている。【００２２】
操作レバー装置４ａ，４ｂ及び操作ペダル装置は、図示しないパイロットポンプの吐出油により生成された１次圧を操作レバー装置４ａ，４ｂ及び操作ペダル装置に備えられた減圧弁（リモコン弁）の操作開度に応じて２次圧に減圧して制御パイロット圧力（油圧操作信号）を生成する。生成された制御パイロット圧力（油圧操作信号）は、方向切換弁５の受圧部に送られ、方向切換弁５の当該スプールを中立位置から切換え操作する。【００２３】
方向切換弁５は、例えばセンタバイパスラインに配置されるオープンセンタタイプのスプール弁であり、受圧部に供給される制御パイロット圧力により切り換え操作される。このことにより、油圧ポンプ６が吐出する圧油の流れ（方向と流量）を制御し、油圧アクチュエータ３ａ〜３ｃ，３ｅ，３ｆの駆動を制御する。油圧ポンプ６は、エンジン７と後述する電動発電機１０とにより回転駆動される。【００２４】
なお、図示しないゲートロックレバーが上がっている場合には、上述した制御パイロット圧力（油圧操作信号）が方向切換弁５の受圧部に供給されないので、オペレータが操作レバー装置４ａ，４ｂ及び操作ペダル装置を操作しても、油圧アクチュエータは動作しない。操作レバー装置４ａ，４ｂ及び操作ペダル装置と、ゲートロックレバーとをまとめて、本実施の形態における「レバー入力判断手段」とする。【００２５】
シャトル弁ブロック９には、操作レバー装置４ａ，４ｂが生成する油圧操作信号（制御パイロット圧力）のうち旋回操作を指示する油圧操作信号以外の油圧操作信号と、図示しない操作ペダル装置が生成する油圧操作信号が入力される。シャトル弁ブロック９は、これら入力信号のうちの最も圧力の高い油圧操作信号を選択して出力する。操作レバー装置４ａとシャトル弁ブロック９とを接続する配管には、操作レバー装置４ａの油圧操作信号（制御パイロット圧力）を検出する圧力センサ１７が設けられ、操作レバー装置４ｂとシャトル弁ブロック９とを接続する配管には、操作レバー装置４ｂの油圧操作信号（制御パイロット圧力）を検出する圧力センサ１８が設けられている。【００２６】
油圧ポンプ６は、可変容量型のポンプであって、ポジティブ制御方式のレギュレータ６ａを有している。レギュレータ６ａには、シャトル弁ブロック９の出力する油圧操作信号が導かれている。ポジティブ制御方式のレギュレータ６ａは、操作レバー装置４ａ，４ｂ及び操作ペダル装置の操作部材である操作レバー及びペダルの操作量（要求流量）が増加して、油圧操作信号が上昇するにしたがって油圧ポンプ６の斜板傾転角（容量）を増加させる。このことにより、油圧ポンプ６の吐出流量が増加する。また、レギュレータ６ａは、油圧ポンプ６の吐出圧力が高くなるにしたがって油圧ポンプ６の斜板傾転角（容量）を減らして、油圧ポンプ６の吸収トルクを予め設定した最大トルクを越えないように制御するトルク制限制御機能を備えている。油圧ポンプ６には、斜板の傾転角（容量）を検出する傾転角センサ６ｂが設けられている。【００２７】
油圧ポンプ６と方向切換弁５とを接続する吐出配管には、油圧ポンプ６の吐出圧を検出する圧力センサ２１が設けられている。圧力センサ２１が検出する油圧ポンプ６の吐出圧と、圧力センサ１７，１８が検出する操作レバー装置４ａ，４ｂの油圧操作信号（制御パイロット圧力）又は傾転角センサ６ｂが検出する斜板の傾転角（ポンプ容量）に応じて、油圧負荷を推測することができる。これらは、本実施の形態における「負荷演算手段」に相当する。【００２８】
本実施の形態におけるアクチュエータ駆動システムの電動駆動部としては、エンジン７と機械的に接続された電動発電機１０と、車体コントローラ１１と、インバータ１２，１３と、エンジンコントローラ１４と、バッテリ１５と、旋回用電動発電機１６と、エンジン７の回転数を検出する回転数センサ１９と、バッテリコントローラ２１とを備えている。【００２９】
電動発電機１０は、油圧ポンプ６とエンジン７の間に機械的に連結されている。電動発電機１０は、エンジン７の動力を電気エネルギ（電力）に変換してインバータ１２に出力する発電機としての機能と、インバータ１２から供給される電気エネルギ（電力）により駆動され、油圧ポンプ６をアシスト駆動する電動機としての機能とを有している。【００３０】
インバータ１２は、電動発電機１０が発電機として機能するときは、電動発電機１０で生成した交流電力を直流電力に変換してバッテリ１５に出力し、電動発電機１０が電動機として機能するときは、バッテリ１５からの直流電力を交流電力に変換して電動発電機１０に供給する。【００３１】
旋回用電動発電機１６は、上部旋回体１ｄを図示しない駆動機構を介して駆動及び制動する。旋回用電動発電機１６は、インバータ１３から供給される電気エネルギ（電力）により駆動する電動機としての機能と、上部旋回体１ｄの制動時の回転動力を電気エネルギ（電力）に変換してインバータ１３に出力する発電機としての機能とを備えている。【００３２】
インバータ１３は、旋回用電動発電機１６が制動時に発電機として機能するときは、回生した交流電力を直流電力に変換してバッテリ１５に出力し、旋回用電動発電機１６が電動機として機能するときは、バッテリ１５からの直流電力を交流電力に変換して旋回用電動発電機１６に供給する。【００３３】
なお、本実施の形態においては、図２に示すように上部旋回体１ｄを旋回用電動発電機１６のみで駆動／制動する構成としているが、旋回用電動発電機１６の代わりに油圧ポンプ６からの圧油によって駆動／制動する油圧旋回モータを用いても良いし、旋回用電動発電機１６と油圧旋回モータとを併用した電動／油圧併用型の旋回装置としても良い。【００３４】
バッテリ１５は、インバータ１２，１３を介して電動発電機１０，旋回用電動発電機１６に電力を供給する。また、バッテリ１５は、電動発電機１０，旋回用電動発電機１６が発電した電気エネルギを蓄える。バッテリ１５には、バッテリ１５の電圧や電流や温度を検出するバッテリセンサ２５が設けられていて、バッテリセンサ２５が検出したバッテリ１５の電圧や電流や温度の信号は、バッテリコントローラ２０へ入力される。【００３５】
バッテリコントローラ２０は、入力した各検出信号を基に、蓄えられている電気エネルギの量、いわゆる蓄電残量を推定する。また、バッテリコントローラ２０は、必要に応じて、車体コントローラ１１へ充放電要求値を出力する。【００３６】
エンジンコントローラ１４は、回転数センサ１９が検出したエンジン７の実回転数信号と、後述する車体コントローラ１１からの目標回転数信号とを入力し、これらの回転数偏差を演算する。エンジンコントローラ１４は、この回転数偏差に基づいて目標燃料噴射量を演算し、対応する制御信号をエンジン７に備えられた電子ガバナ７ａに出力する。電子ガバナ７ａは、この制御信号により作動して目標燃料噴射量相当の燃料を噴射してエンジン７に供給する。目標回転数は、オペレータが作業の内容に応じて設定した値を、エンコンダイヤル２２を使って設定する。エンコンダイヤル２２で設定した目標回転数信号は、車体コントローラ１１に入力され、車体コントローラ１１からエンジンコントローラ１４に出力されている。【００３７】
エンジン７の排気ガスの管路には、後処理装置としてフィルタ２３が設けられている。排気ガスの管路内のフィルタ２３の前後には、フィルタ２３の差圧を検出する差圧センサ２４が設けられている。差圧センサ２４が検出したフィルタ２３の差圧信号はエンジンコントローラ１４に入力され、車体コントローラ１１へも出力される。車体コントローラ１１は、この差圧信号の値を基に捕集されたＰＭ量を推測し、フィルタ再生実行の判断を行う。【００３８】
車体コントローラ１１は、制御演算回路を備えていて、この制御演算回路において電動発電機１０に係わる以下の４つの制御を行う。
（１）油圧ポンプ６に必要な動力を供給するための制御  
油圧ポンプ６の油圧負荷（ポンプ吸収トルク）が大きく、エンジン７の動力だけでは十分な動力を供給できない場合に、電動発電機１０を力行動作させて油圧ポンプ６に十分な動力を供給する。このアシスト動作をパワーアシストと呼ぶ。また、エンジン７のアイドル状態からの復帰時など、エンジン７の目標回転数に対して、エンジンの実回転数の乖離が大きい場合には、電動発電機１０を力行動作させて、エンジン７の実回転数を素早く目標回転数に合致させる。このアシスト動作を加速アシストと呼ぶ。  
（２）エンジン７の動力を平滑化するための制御  
油圧ポンプ６の油圧負荷（ポンプ吸収トルク）が急峻に増加する場合には電動発電機１０を力行動作させ、油圧ポンプ６の油圧負荷（ポンプ吸収トルク）が急峻に減少する場合には電動発電機１０を回生動作させることで、エンジン動力の変化率が徐変するような制御を行う。この制御によって、排気ガス中の有害物質の生成を抑制することができる。  
（３）蓄電残量を管理するための制御  
油圧ポンプ６の油圧負荷（ポンプ吸収トルク）が小さく、且つ、バッテリコントローラ２０によって算出されるバッテリ１５の蓄電残量が少ないときは、インバータ１２を制御して電動発電機１０を発電機として動作させる回生制御を行い、余剰の電力を発生させるとともに、発生した余剰電力をバッテリ１５に蓄える制御を行う。逆に、油圧ポンプ６の油圧負荷（ポンプ吸収トルク）が大きく、且つ、バッテリコントローラ２０によって算出されるバッテリ１５の蓄電残量が所定量以上あるときは、インバータ１２を制御して電動発電機１０にバッテリ１５の電力を供給して電動発電機１０を電動機として動作させる力行制御を行い、油圧ポンプ６をアシスト駆動する。  
（４）フィルタ再生時の制御  
車体コントローラ１１は、フィルタ再生実施の判断を行い、フィルタ再生中は、上記（１）〜（３）の制御内容に対して各種の制限制御を実施する。【００３９】
次に、車体コントローラ１１の電動発電機１０に係わる上記（１）〜（４）の制御について図３を用いて説明する。図３は本発明のハイブリッド建設機械の制御装置の第１の実施の形態における電動発電機の制御システムを示すブロック図である。図３において、図１及び図２に示す符号と同符号のものは同一部分であるので、その詳細な説明は省略する。【００４０】
車体コントローラ１１は、１５個の演算部で構成されていて、これらの演算部は、通常時の電動発電機の制御を行う演算グループ３００ａと、フィルタ再生中に有効な力行制限を行う演算グループ３００ｂと、これらの演算グループへ入力する信号を演算する複数の演算部と、インバータ１２へ指令信号を出力する電動発電機制御部３１５とを備えている。【００４１】
まず、上述した（１）油圧ポンプ６に必要な動力を供給するための制御と、（２）エンジン７の動力を平滑化するための制御と、（３）蓄電残量を管理するための制御とを実行する「通常時の電動発電機の制御を行う演算グループ３００ａ」に関して説明する。「通常時の電動発電機の制御を行う演算グループ３００ａ」は、パワーアシスト演算部３０４と、加速アシスト演算部３０７と、トルク指令値演算部３１０とを備えている。「通常時の電動発電機の制御を行う演算グループ３００ａ」へ入力する信号を演算する複数の演算部は、油圧負荷演算部３０１と、レバー入力判断部３０２と、エンジン出力計測部３０３と、目標回転数設定部３０５と、回転数計測部３０６と、蓄電装置管理部３０８と、充放電要求演算部３０９とを備えている。【００４２】
油圧負荷演算部３０１は、傾転角センサ６ｂが検出する油圧ポンプ６の斜板の傾転角（ポンプ容量）信号と、圧力センサ２１が検出する油圧ポンプ６の吐出圧信号とを入力し、これらの信号から油圧ポンプ６の負荷を演算する。なお、傾転角信号に替えて、レバー入力判断部３０２からのレバー操作量に基づくポンプ容積の目標値を利用しても良い。算出した油圧ポンプ６の負荷信号は、パワーアシスト演算部３０４と後述する力行可能量演算部３１３へ出力する。【００４３】
レバー入力判断部３０２は、圧力センサ１７，１８が検出する操作レバーの油圧操作信号（制御パイロット圧力）や、図示しない操作ペダルの操作量やゲートロックレバーの位置信号などを取り込み、これらの状態信号から判断した信号を油圧負荷演算部３０１と後述する力行禁止判断部３１２へ出力する。【００４４】
エンジン出力計測部３０３は、エンジンコントローラ１４から出力されるエンジン７のトルク信号とエンジン７の実回転数信号に基づいて、エンジン７が負担している負荷を計測する。計測したエンジン７が負担している負荷信号は、パワーアシスト演算部３０４とトルク指令値演算部３１０へ出力する。【００４５】
パワーアシスト演算部３０４は、油圧負荷演算部３０１が算出した油圧ポンプ６の負荷信号と、エンジン出力計測部３０３が計測したエンジン７が負担している負荷信号とを入力し、これらの偏差から油圧ポンプ６に供給すべき動力の不足分を演算し、電動発電機１０で負担すべき力行動力（力行トルク）を算出する。算出した力行動力（力行トルク）の信号は、トルク指令値演算部３１０へ出力する。【００４６】
目標回転数設定部３０５は、エンコンダイヤル２２によってオペレータが設定した目標回転数信号を入力し、この目標回転数信号に応じてエンジン目標回転数を設定する。設定したエンジン目標回転数信号は、加速アシスト演算部３０７へ出力する。【００４７】
回転数計測部３０６は、エンジンコントローラ１４が出力する回転数センサ１９が検出したエンジン７の実回転数信号を入力して利用する。また、電動発電機１０の制御に用いられるモータ回転数信号を利用しても良い。計測した回転数計測信号は、加速アシスト演算部３０７へ出力する。【００４８】
加速アシスト演算部３０７は、目標回転数設定部３０５が設定したエンジン目標回転数信号と、回転数計測部３０６が計測したエンジン７の実回転数信号とを入力し、これらの偏差を解消するように電動発電機１０で負担すべき力行動力（力行トルク）を算出する。なお、エンジン７の実回転数信号が目標回転数信号を上回る（オーバレブ）状態になっている場合には、これを早期に解消するように、加速アシスト演算部３０７は、力行動作ではなく回生動作を指令する。これらの演算には、ＰＩ制御を用いても良いし、偏差に対して決定されたトルクテーブルを用いても良い。算出した力行動力（力行トルク）の信号は、トルク指令値演算部３１０へ出力する。【００４９】
蓄電装置管理部３０８は、バッテリセンサ２５が検出したバッテリ１５の電圧や電流や温度の信号を基にバッテリコントローラ２０が算出した蓄電残量や、温度などの計測を行う。計測した蓄電残量や温度などの信号は充放電要求演算部３０９へ出力する。【００５０】
充放電要求演算部３０９は、蓄電装置管理部３０８が計測した蓄電残量や温度などの信号を入力し、これらの信号に基づいて、充放電要求を演算する。充放電要求演算部３０９の基本動作は、目標蓄電残量に対して、現状の蓄電残量が少ないときは充電要求を出力し、目標蓄電残量に対して、現状の蓄電残量が多いときは放電要求を出力することである。また、バッテリ１５として、極低温において出力特性が極端に低くなるリチウムイオンバッテリを利用している場合には、充放電を繰り返してバッテリ１５の自己発熱による昇温を促す制御を実行するために、充放電要求演算部３０９が充電要求を適宜切り替える場合がある。算出した充放電要求信号は、トルク指令値演算部３１０へ出力される。【００５１】
トルク指令値演算部３１０は、パワーアシスト演算部３０４が算出した力行動力（力行トルク）の信号と、エンジン出力計測部３０３が計測したエンジン７が負担している負荷信号と、加速アシスト演算部３０７が算出した力行動力（力行トルク）の信号と、充放電要求演算部３０９が算出した充放電要求信号とを入力し、これらの入力信号に基づいて電動発電機１０に対するトルク指令値を演算する。算出したトルク指令値は、後述する力行動作制限部３１４へ出力する。【００５２】
次に、上述した（４）フィルタ再生時の制御を実行する「フィルタ再生中に有効な力行制限を行う演算グループ３００ｂ」に関して説明する。「フィルタ再生中に有効な力行制限を行う演算グループ３００ｂ」は、力行禁止判断部３１２と、力行可能量演算部３１３と、力行動作制限部３１４とを備えている。「フィルタ再生中に有効な力行制限を行う演算グループ３００ｂ」へ入力する信号を演算する複数の演算部は、油圧負荷演算部３０１と、レバー入力判断部３０２と、フィルタ再生判断部３１１とを備えている。【００５３】
フィルタ再生判断部３１１は、差圧センサ２４が検出したフィルタ２３の差圧信号を入力し、入力した差圧信号や、前回のフィルタ再生終了からの経過時間などに基づいて、フィルタ再生要求を判断する。上述したように、フィルタ再生要求には、オペレータに対して特別な操作を要求せずに、ハイブリッドショベル１の動作中に自動でフィルタ再生を行う「連続再生」と、オペレータに対して「ハイブリッドショベル１の操作を停止し、ゲートロックレバーを上げ、フィルタ再生スイッチを押す」という操作を要求する「手動再生」の２通りの再生要求がある。フィルタ再生判断部３１１が判断したフィルタ再生要求の信号は力行動作制限部３１４へ出力する。【００５４】
力行禁止判断部３１２は、レバー入力判断部３０２で判断した信号を入力し、これらの信号に基づき力行禁止を判断する。具体的には、ゲートロックレバーがあがっている場合、もしくはオペレータによる操作レバー装置４ａ，４ｂ及び操作ペダル装置のいずれの操作も行われていないと判断された場合に、電動発電機１０の力行可能量を０［Ｎｍ］に制限する指令を出力する。発電可能量に対しては制限する指令は出力しない。力行禁止判断部３１２の制限指令は力行動作制限部３１４へ出力する。【００５５】
力行可能量演算部３１３は、油圧負荷演算部３０１が算出した油圧ポンプ６の負荷信号を入力し、この入力信号に基づいて電動発電機１０の力行可能量を演算する。算出した力行可能量の信号は、力行動作制限部３１４へ出力される。  
力行可能量演算部３１３での演算方法について図４を用いて説明する。図４は本発明のハイブリッド建設機械の制御装置の第１の実施の形態における力行可能量演算部の演算方法の一例を説明するための回転数―トルクマップ図である。【００５６】
図４において、横軸はエンジン回転数を縦軸はエンジントルクを各々示している。図４における油圧負荷の特性は、本実施の形態における１つの例として示している。ここで、アイドル負荷の特性はエンジン７により定まる特性であり、同様に再生可能最小トルクの特性は、フィルタ再生が可能なエンジン７の最小トルクの特性を示している。最大エンジントルク特性と再生可能最小トルクの特性とで囲まれるハッチング部は、フィルタ再生可能領域を示している。【００５７】
フィルタ再生可能領域において、エンジントルクの大きい領域では、排気ガス温度が高くなるためにフィルタの再生が短時間で完了できる。一方、エンジントルクが小さい領域では、排気ガス温度が低くなるためにフィルタの再生時間が長くなるといった違いが存在する。【００５８】
図４に示すように、「油圧負荷と再生可能最小トルクの差分（最大力行可能量）」だけ電動発電機１０で力行を実施した場合であっても、フィルタの再生を維持できるため、この値（最大力行可能量）を力行可能演算部３１３の出力とする方法も考えられる。しかし、ハイブリッドショベル１における油圧負荷は、急峻に増減するため、（最大力行可能量）を利用する場合には、エンジントルクが再生可能最小トルクを下回る虞がある。【００５９】
したがって、力行可能演算部３１３の出力（力行可能量）としては、「油圧負荷とアイドル負荷の差分」として演算することが好ましい。さらに望ましい力行可能量としては、「油圧負荷からアイドル負荷とトルク余裕値との和を減算した差分」とする。このこと、エンジントルクが確保でき、確実なフィルタ再生が促せる。【００６０】
なお、図４に示すようなフィルタ再生可能領域をもつエンジンを搭載するハイブリッドショベル１においては、アイドル負荷に対して、エンジントルクがわずかに低い領域であってもフィルタ再生を維持できる。このため、力行禁止判断部３１２を設けなくても良い場合もある。【００６１】
図３に戻り、力行動作制限部３１４は、フィルタ再生判断部３１１で判断されたフィルタ再生要求の信号を入力し、トルク指令演算部３１０で計算された電動発電機１０へのトルク指令に対して、力行可能量演算部３１３で算出された力行可能量で上限を抑え、さらに、力行禁止判断部３１２にて、力行禁止判断がされた場合には、力行可能量を０［Ｎｍ］に制限する。力行動作制限部３１４で求まった値が、最終的な電動発電機１０へのトルク指令として、電動発電機制御部３１５に出力される。【００６２】
電動発電機制御部３１５は、力行動作制限部３１４から最終的な電動発電機１０へのトルク指令を入力し、このようなトルクを発生するためのインバータ１２への指令を演算し、算出した指令信号をインバータ１２へ出力する。【００６３】
次に、本実施の形態において、油圧負荷がエンジン７の最大トルクよりも高い場合の力行可能量演算部３１３での演算方法を図５を用いて説明する。図５は本発明のハイブリッド建設機械の制御装置の第１の実施の形態における力行可能量演算部の演算方法の他の例を説明するための回転数―トルクマップ図である。【００６４】
図５において、横軸はエンジン回転数を縦軸はエンジントルクを各々示している。図５における油圧負荷の特性は、最大エンジントルク特性よりも大きい。その他の特性については図４と同じである。図５においては、油圧負荷が十分に大きいので、力行可能量演算部３１３で算出される力行可能量は電動発電機１０の仕様で決まる最大トルクと一致する。【００６５】
一方、パワーアシスト演算部３０４で算出される力行動力（パワーアシスト量）の信号は、油圧負荷と最大エンジントルクの差で決定されるので、力行可能量に対してパワーアシスト量が小さくなる。このような場合には、力行動作制限部３１４で力行量が制限されないため、電動発電機１０は、上述したパワーアシスト量に従って力行を行う。【００６６】
このような制御が実行されることにより、フィルタ再生中であっても、油圧ポンプ６に十分な動力を供給できるので、ハイブリッドショベル１の操作性を損ねることを回避できる。【００６７】
次に、車体コントローラ１１の電動発電機１０に係わる（４）フィルタ再生時の制御について図６を用いて説明する。図６は本発明のハイブリッド建設機械の制御装置の第１の実施の形態におけるフィルタ再生中の電動発電機の制御処理内容を示すフローチャート図である。【００６８】
車体コントローラ１１は、トルク指令値を演算する（ステップＳ１）。具体的には、トルク指令値演算部３１０が各種の入力信号に基づいて電動発電機１０に対するトルク指令値を演算する。【００６９】
車体コントローラ１１は、フィルタが再生中か否かを判定する（ステップＳ２）。具体的には、フィルタ再生判断部３１１がフィルタ２３の差圧信号や、前回のフィルタ再生終了からの経過時間などに基づいて、フィルタ再生要求を判断するので、この判断の結果から判定する。フィルタ２３が再生中でないと判定した場合には（ステップＳ３）へ進み、それ以外の場合には（ステップＳ４）へ進む。【００７０】
（ステップＳ２）にてフィルタ再生中でないと判定した場合、車体コントローラ１１は、力行制限を実施しない（ステップＳ３）。具体的には、力行動作制限部３１４での制限は行われず、トルク指令値演算部３１０で算出されたトルク指令値どおりに電動発電機１０が制御される。【００７１】
一方、（ステップＳ２）にてフィルタ再生中と判定した場合、車体コントローラ１１は、その再生が手動再生か連続再生かを判定する（ステップＳ４）。具体的には、フィルタ再生判断部３１１が判定する。手動再生と判定した場合には（ステップＳ６）へ進み、連続再生と判定した場合には（ステップＳ５）へ進む。【００７２】
（ステップＳ４）にて連続再生であると判定した場合、車体コントローラ１１は、ハイブリッドショベル１がアイドル中か否かを判定する（ステップＳ５）。具体的には、レバー入力判定部３０２において、レバー操作が一定時間実施されていない場合や、ゲートロックレバーが上がっている場合に、アイドル中と判定する。アイドル中と判定した場合には（ステップＳ６）へ進み、アイドル中ではない（負荷運転中である）と判定した場合には（ステップＳ７）へ進む。【００７３】
（ステップＳ４）にて手動再生であると判定した場合、又は、（ステップＳ５）にてアイドル中と判定した場合、車体コントローラ１１は、力行量を最小限に制限する（ステップＳ６）。具体的には、力行動作制限部３１４がフィルタ再生判断部３１１からの手動再生信号を入力した場合と、力行禁止判断部３１２からのアイドル中にともなう力行禁止信号を入力した場合に相当し、トルク指令値演算部３１０からのトルク指令値を制限する。【００７４】
（ステップＳ５）にてアイドル中ではない（負荷運転中である）と判定した場合、車体コントローラ１１は力行指令が油圧負荷より大きいか否かを判定する（ステップＳ７）。具体的には、コントローラ１１の力行可能量演算部３１３が、油圧負荷演算部３０１で算出した油圧負荷を基に力行可能量を算出し、力行動作制限部３１４へ出力する。力行動作制限部３１４は、トルク指令値演算部３１０が算出した力行指令と力行可能量（油圧負荷基準）とを比較することで、判定する。力行指令が油圧負荷（力行可能量）より大きいと判定した場合には（ステップＳ８）へ進み、それ以外の場合には（ステップＳ３）へ進む。【００７５】
（ステップＳ７）にて力行指令が油圧負荷（力行可能量）より大きくないと判定した場合、車体コントローラ１１は力行制限を実施しない（ステップＳ３）。この判定がされた場合は、図４に示すようにエンジン７のトルクを再生可能領域にとどめることができるので、力行制限は実施されない。【００７６】
（ステップＳ７）にて力行指令が油圧負荷（力行可能量）より大きいと判定した場合、車体コントローラ１１は油圧負荷未満に力行指令を制限する（ステップＳ８）。具体的には、力行動作制限部３１４において、トルク指令値演算部３１０が算出した力行指令を、油圧負荷を基に算出した力行可能量まで制限することで実行される。【００７７】
上述した本発明のハイブリッド建設機械の制御装置の第１の実施の形態によれば、フィルタ再生指令が入力された際に、電動発電機１０の力行動作を制限するので、エンジン７が負担する負荷を維持もしくは増加させることができ、エンジン７の排気ガス温度を上昇／維持しやすくできる。また、エンジン７だけでは十分な動力を供給できない状況においては、電動発電機１０による動力アシストを利用して油圧ポンプ６に十分な動力を供給できる。このことにより、通常時の操作性をフィルタ再生中であっても維持することができる。【００７８】
また、上述した本発明のハイブリッド建設機械の制御装置の第１の実施の形態によれば、フィルタ２３の連続再生が実行できずにＰＭ堆積量が所定値以上になってしまった場合に行う「手動再生」において、電動発電機１０の力行可能量を所定値以下に制限するので、アイドル状態で実施される手動再生においても、エンジン７にかかる負荷をフィルタ再生が継続できる値以上に維持することができる。また、電動発電機１０の力行動作を完全には禁止しないため、フィルタ２３の手動再生中のアイドル状態でも、蓄電装置（バッテリ１５）からの放電が可能になる。このため、蓄電装置（バッテリ１５）の過充電の解消や自己発熱によるバッテリ暖機等を行うことも可能になる。【００７９】
更に、上述した本発明のハイブリッド建設機械の制御装置の第１の実施の形態によれば、電動発電機１０の力行可能量を油圧ポンプ６の負荷よりも低く設定するので、ハイブリッド建設機械のアイドル時相当の負荷をエンジン７にかけることができる。このことにより、連続再生中にフィルタ２３の再生が中断されることを回避できる。また、電動発電機の１０力行可能量を油圧ポンプ負荷に応じて変更するので、油圧ポンプ６への供給動力が不足する事態を回避できる。【００８０】
また、上述した本発明のハイブリッド建設機械の制御装置の第１の実施の形態によれば、オペレータによるレバー入力が無い場合には、電動発電機１０の力行可能量を手動再生時と同様の値に制限するので、フィルタ再生の手動再生と連続再生とを区別せずに、アイドル状態でのフィルタ再生を継続することが可能になる。このことにより、通常時の操作性をフィルタ再生中であっても維持することができる。
【実施例２】
【００８１】
以下、本発明のハイブリッド建設機械の制御装置の第２の実施の形態を図面を用いて説明する。図７は本発明のハイブリッド建設機械の制御装置の第２の実施の形態を備えたアクチュエータ駆動システムの概略図、図８は本発明のハイブリッド建設機械の制御装置の第２の実施の形態における電動発電機の制御システムを示すブロック図である。図７及び図８において、図１乃至図６に示す符号と同符号のものは同一部分であるので、その詳細な説明は省略する。【００８２】
図７に示す本発明のハイブリッド建設機械の制御装置の第２の実施の形態は、大略第１の実施の形態と同様の機器で構成されるが、以下の構成が異なる。本実施の形態においては、フィルタ２３の近傍に電熱ヒータ２６と、この電熱ヒータ２６に供給する電力を制御するインバータ２７とを新たに設けた点が第１の実施の形態と異なる。具体的には、図２に示すハイブリッド建設機械の制御装置の第１の実施の形態を備えたアクチュエータ駆動システムの概略図に電熱ヒータ２６とインバータ２７とを加えた構成であるが、図７においては、図が煩雑になるのを避けるため、図２から信号線や構成要素の一部を省略している。【００８３】
本実施の形態において、電熱ヒータ２６は、電動発電機１０で発電された電力、もしくは蓄電装置であるバッテリ１５から供給される電力によって発熱し、フィルタ２３の昇温を行い、フィルタ再生を促進するために利用される。【００８４】
本実施の形態における車体コントローラ１１の電動発電機１０に係わる制御方法について図８を用いて説明する。本実施の形態における制御方法は大略第１の実施の形態と同様なので、図８において、第１の実施の形態と異なる部位について説明する。  
第１の実施の形態においては、充放電要求演算部３０９から充放電要求信号がトルク指令値演算部３１０に入力していたが、本実施の形態においては、充放電要求演算部３０９から充電要求信号のみがトルク指令値演算部３１０に入力される点が異なる。【００８５】
また、電熱ヒータ制御部８０１が設けられ、充放電要求演算部３０９から放電要求信号が入力される。電熱ヒータ制御部８０１は、入力された放電要求信号に応じて、インバータ２７への指令を演算し、算出した指令信号をインバータ２７へ出力する。この結果、電熱ヒータ２６を加熱する。【００８６】
このように、本実施の形態においては、充放電要求演算部３０９からの放電要求信号がトルク指令値演算部３１０に入力されないことから、放電要求信号が電動発電機１０の制御に影響を与えない。このことにより、上述したパワーアシストや加速アシストが不要なときには、電動発電機１０が力行することがない。この結果、常にエンジントルクをアイドル負荷以上に維持することができるので、エンジン７の動作点がフィルタ再生可能領域を逸脱することを防止できる。【００８７】
充放電要求演算部３０９からトルク指令値演算部３１０に充電要求信号が入力される場合には、電動発電機１０が回生動作を行うので、エンジン７への負荷が増加し、排気ガス温度が上昇するのでフィルタ２３を昇温できる。一方、充放電要求演算部３０９から放電要求信号が出力される場合、電動発電機１０は不動作であるが、電熱ヒータ制御部８０１からインバータ２７を介して電熱ヒータ２６を加熱することでフィルタ２３を昇温できる。【００８８】
このように、充放電要求演算部３０９からの放電要求と充電要求とを制限することなく実行できるので、自己発熱による蓄電装置（バッテリ１５）の暖機を効率的に実行できる。このように、本実施の形態においては、蓄電装置（バッテリ１５）の蓄電残量に拠らず、フィルタ２３の再生と蓄電装置（バッテリ１５）の暖機を両立することが可能になる。【００８９】
上述した本発明のハイブリッド建設機械の制御装置の第２の実施の形態によれば、第１の実施の形態と同様の効果を得ることができる。【００９０】
また、上述した本発明のハイブリッド建設機械の制御装置の第２の実施の形態によれば、蓄電装置（バッテリ１５）からの充電要求に対して電動発電機１０で発電動作を行うことでエンジン負荷を増加するので、排気ガスの温度を昇温することができる。さらに、蓄電装置（バッテリ１５）からの放電要求に対しては、電熱ヒータ２６への給電を行うので、フィルタ２３の触媒温度を昇温・維持し易くなる。この結果、フィルタ再生を効率的に行うことができる。【００９１】
さらに、上述した本発明のハイブリッド建設機械の制御装置の第２の実施の形態によれば、蓄電装置（バッテリ１５）からの放電要求に対して、電動発電機１０を力行動作させないので、エンジン負荷を高く維持でき、排気ガスの温度も高温に維持しやすくなる。また、蓄電装置（バッテリ１５）からの充放電要求への追従が容易であるため、自己発熱によるバッテリ暖機を容易に行うことができる。【００９２】
なお、本実施の形態の応用として、フィルタ再生用の第１の電熱ヒータに加えて、バッテリ暖機用に第２の電熱ヒータを設けてもよい。このようにハイブリッド建設機械を構成すると、フィルタ再生と蓄電装置の暖機をより効果的に実行できる。【００９３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００９４】
１：ハイブリッドショベル、３ａ：ブームシリンダ、３ｂ：アームシリンダ、３ｃ：バケットシリンダ、３ｅ，３ｆ：左右の走行モータ、４ａ，４ｂ：操作レバー装置、５：方向切換弁、６：油圧ポンプ、６ａ：レギュレータ、７：エンジン、１０：電動発電機、１１：車体コントローラ、１２，１３，２７：インバータ、１４：エンジンコントローラ、１５：バッテリ（蓄電装置）、１７，１８：圧力センサ、１９：回転数センサ、２０：バッテリコントローラ、２１：圧力センサ、２２：エンコンダイヤル、２３：フィルタ、２４：差圧センサ、２５：バッテリセンサ（温度，電流，電圧センサ）、２６：電熱ヒータ
【図１】
2016147269.tif 000003
【図２】
2016147269.tif 000004
【図３】
2016147269.tif 000005
【図４】
2016147269.tif 000006
【図５】
2016147269.tif 000007
【図６】
2016147269.tif 000008
【図７】
2016147269.tif 000009
【図８】
2016147269.tif 000010
【国際調査報告】
2016147269.tif 000011
2016147269.tif 000012
2016147269.tif 000013
2016147269.tif 000014